(57)【要約】  【課題】  ディスクに記録されたデータを使用する処理に支障をきたすことを抑制したディスクデータ処理装置を提供する。  【解決手段】  ナビゲーション装置１００は、地図データが記録されたＤＶＤ２００を駆動して当該地図データの読み出しを行うディスクメカユニット１０２を有し、当該ディスクメカユニット１０２にてＤＶＤ２００から読み出された地図データを処理するものであり、ディスクメカユニット１０２の温度を検出する温度検出サーミスタ１１４と、温度が所定温度以上となるときに、ＤＶＤ２００から所定のデータを読み出してフラッシュメモリ１１２に記憶させるとともに、その記憶後に、ディスクメカユニット１０２に対する電源供給を遮断する制御を行うＣＰＵ１０６とを有する。【選択図】  図１
2006252611.tif 000002
【特許請求の範囲】
【請求項１】
データが記録されたディスクを駆動してデータの読み出しを行うディスクメカユニットを有し、該ディスクメカユニットにて前記ディスクから読み出されたデータを処理するディスクデータ処理装置であって、
前記ディスクメカユニットの温度を検出する温度検出手段と、
前記温度検出手段により検出された温度が所定温度以上となるときに、前記ディスクから所定データを読み出して記憶手段に記憶させるデータ待避手段と、
前記所定データを前記記憶手段に記憶させた後に、前記ディスクメカユニットに対する電源供給を遮断する電源遮断手段とを有することを特徴とするディスクデータ処理装置。
【請求項２】
前記ディスクに記録されたデータは地図データを含み、移動体に搭載され、該地図データを処理して前記移動体のナビゲーションを行うことを特徴とする請求項１に記載のディスクデータ処理装置。
【請求項３】
前記地図データを処理して目的地までの経路の案内がなされている場合に、前記データ待避手段は、前記経路に対応する地図データを前記記憶手段に記憶させることを特徴とする請求項２に記載のディスクデータ処理装置。
【請求項４】
前記データ待避手段は、前記移動体の位置を含む所定範囲内の地図データを前記記憶手段に記憶させることを特徴とする請求項２又は３に記載のディスクデータ処理装置。
【発明の詳細な説明】
【技術分野】
【０００１】
本発明は、ディスクに記録された各種データを読み出して処理するディスクデータ処理装置に関する。
【背景技術】
【０００２】
ディスクデータ処理装置としてのナビゲーション装置は、地図データが記録されたＤＶＤ（デジタルバーサタイルディスク）やＣＤ（コンパクトディスク）等のディスクをディスクメカユニットに搭載し、ディスクメカユニット内の光ピックアップによってディスクから地図データを読み出す。そして、この読み出された地図データに基づいて車両周辺の地図画像が表示される。また、地図データを用いて出発地から目的地までの誘導経路が探索され、その探索された誘導経路が記憶される。そして、車両の走行中には、誘導経路が地図画像上に他の道路とは色を変えて太く描画される。
【０００３】
また、ナビゲーション装置には、エアコンの温風等の何らかの理由によりディスクメカユニットの温度が上昇した場合に、光ピックアップを保護すべく、ディスクメカユニットに対する電源を遮断し、停止させる機能を有するものも存在する（例えば、特許文献１参照）。
【特許文献１】特開昭６０−２２７４７号公報
【発明の開示】
【発明が解決しようとする課題】
【０００４】
しかし、ディスクメカユニットに対する電源が遮断されると、その後はディスクからの地図データの読み出しができなくなる。このため、地図データを使用する機能である地図画像の表示、経路案内及び経路探索に支障をきたしてしまうという問題があった。
【０００５】
本発明の目的は、上述した問題を解決するものであり、ディスクに記録されたデータを使用する処理に支障をきたすことを抑制したディスクデータ処理装置を提供するものである。
【課題を解決するための手段】
【０００６】
本発明のディスクデータ処理装置は、データが記録されたディスクを駆動してデータの読み出しを行うディスクメカユニットを有し、該ディスクメカユニットにて前記ディスクから読み出されたデータを処理するものであって、前記ディスクメカユニットの温度を検出する温度検出手段と、前記温度検出手段により検出された温度が所定温度以上となるときに、前記ディスクから所定データを読み出して記憶手段に記憶させるデータ待避手段と、前記所定データを前記記憶手段に記憶させた後に、前記ディスクメカユニットに対する電源供給を遮断する電源遮断手段とを有する。
【０００７】
この構成により、ディスクメカユニットの温度が所定温度以上である場合には、ディスクからデータが読み出されて退避された後に、ディスクメカユニットの電源が遮断される。従って、電源遮断によりディスクメカユニットの動作が停止しても、退避されたデータを用いた処理が可能となり、ディスクに記録されたデータを使用する処理に支障をきたすことが抑制される。
【０００８】
また、本発明のディスクデータ処理装置は、前記ディスクに記録されたデータは地図データを含み、移動体に搭載され、該地図データを処理して前記移動体のナビゲーションを行う。
【０００９】
この構成により、電源遮断によりディスクメカユニットの動作が停止しても、退避されたデータを用いたナビゲーションが可能となる。
【００１０】
また、本発明のディスクデータ処理装置は、前記地図データを処理して目的地までの経路の案内がなされている場合に、前記データ待避手段が、前記経路に対応する地図データを前記記憶手段に記憶させる。
【００１１】
この構成により、電源遮断によりディスクメカユニットの動作が停止しても、退避された目的地までの経路に対応した地図データを用いて、経路案内を継続して行うことが可能となる。
【００１２】
また、本発明のナビゲーション装置は、前記データ待避手段が、前記移動体の位置を含む所定範囲内の地図データを前記記憶手段に記憶させる。
【００１３】
この構成により、電源遮断によりディスクメカユニットの動作が停止しても、退避された移動体の位置を含む所定範囲内の地図データを用いて、地図表示や経路探索を行うことが可能となる。
【発明の効果】
【００１４】
本発明によれば、電源遮断によりディスクメカユニットの動作が停止しても、退避されたデータを使用する処理が可能となり、ディスクに記録されたデータを使用する処理に支障をきたすことが抑制される。
【発明を実施するための最良の形態】
【００１５】
以下、本発明の実施の形態について、図面を参照して具体的に説明する。
【００１６】
図１は、本発明の実施の形態にかかるディスクデータ処理装置としてのナビゲーション装置の構成を示す図である。同図に示すナビゲーション装置１００は、車両に搭載され、目的地までの経路探索及び経路案内を行うとともに、車両周辺の地図画像を表示するものであり、ＤＶＤメカユニット１０２、ＧＰＳ装置１０４、ＣＰＵ１０６、ディスプレイユニット１０８、フラッシュメモリ１１２、温度検出サーミスタ１１４及びＤＶＤメカユニット電源装置１１６により構成される。これらのうち、ＤＶＤメカユニット１０２は、光ピックアップ１０３を有し、ディスプレイユニット１０８は、ディスプレイ１０９及びキー入力装置１１０を有する。
【００１７】
ＤＶＤメカユニット１０２は、地図データが記録されたＤＶＤ２００を搭載する。図２は、ＤＶＤ２００に記録される地図データの一例を示す図である。地図データは、地図の対象となる地域を分割した矩形領域毎に構成される。この地図データは、矩形領域を特定する経度・緯度の情報等を含む領域識別データ、矩形領域に対応する地図の画像データ、矩形領域に含まれる道路の位置を特定する経度・緯度や当該道路の走行コストの情報等を含む道路データからなる。ＤＶＤメカユニット１０２内の光ピックアップ１０３は、ＣＰＵ１０６の指示に応じて、ＤＶＤ２００から地図データを読み出し、ＣＰＵ１０６へ出力する。
【００１８】
ＧＰＳ装置１０４は、ＧＰＳ衛星からの信号を受信する。そして、ＧＰＳ装置１０４は、その受信した信号に基づいて、ナビゲーション装置１００が搭載された車両の位置（経度・緯度）を表す車両位置データを生成し、ＣＰＵ１０６へ出力する。
【００１９】
ＣＰＵ１０６は、車両周辺の地図画像の表示処理を行う。具体的には、ＣＰＵ１０６は、ＧＰＳ装置１０４から随時送られてくる車両位置データに基づいて、ＤＶＤ２００に記録されている地図データのうち、車両位置周辺に対応する地図データを読み出すように、ＤＶＤメカユニット１０２及び光ピックアップ１０３を制御する。そして、ＣＰＵ１０６は、この制御に応じて光ピックアップ１０３によって読み出された地図データを入力する。
【００２０】
更に、ＣＰＵ１０６は、車両位置データに基づいて車両位置を表す車両位置画像データを生成するとともに、この車両位置画像データと、入力した地図データに含まれる地図画像データとに基づいて画像合成処理を行い、地図画像に車両位置画像が重ねられた画像データを生成して、ディスプレイユニット１０８内のディスプレイ１０９へ出力する。ディスプレイ１０９は、入力した画像データ基づく画像表示を行う。これにより、ディスプレイ１０９には、地図画像に車両位置画像が重ねられた画像が表示され、車両の走行に応じて地図画像がスクロール表示される。このため、利用者は車両の位置を把握することができる。
【００２１】
また、ＣＰＵ１０６は、目的地までの経路探索処理を行う。具体的には、利用者がキー入力装置１１０を操作して目的地の設定を行うと、ＣＰＵ１０６は、その目的地設定に応じた操作信号を入力し、当該操作信号に基づいて目的地の位置（経度・緯度）を認識する。更に、ＣＰＵ１０６は、ＧＰＳ装置１０４からの車両位置データと、認識した目的地の位置とに基づいて、ＤＶＤ２００に記録されている地図データのうち、車両位置と目的地とを含む所定範囲内の領域に対応する地図データを読み出すように、ＤＶＤメカユニット１０２及び光ピックアップ１０３を制御する。そして、ＣＰＵ１０６は、この制御に応じて光ピックアップ１０３によって読み出された地図データを入力する。
【００２２】
更に、ＣＰＵ１０６は、入力した地図データに含まれる道路データを用いて、横型探索法又はダイクストラ法等のシミュレーション計算により車両位置から目的地までを結ぶ最もコストが低い誘導経路を演算する。演算の結果得られる誘導経路データは、誘導経路の位置を特定する経度・緯度の情報等が含まれており、フラッシュメモリ１１２に記憶される。
【００２３】
その後、利用者がキー入力装置１１０を操作して経路案内指示を行うと、ＣＰＵ１０６は、その経路案内指示に応じた操作信号を入力し、当該操作信号に応じて、フラッシュメモリ１１２に記憶された誘導経路データを読み出す。更に、ＣＰＵ１０６は、ＧＰＳ装置１０４から随時送られてくる車両位置データに基づいて、ＤＶＤ２００に記録されている地図データのうち、車両位置周辺に対応する地図データを読み出すように、ＤＶＤメカユニット１０２及び光ピックアップ１０３を制御する。そして、ＣＰＵ１０６は、この制御に応じて光ピックアップ１０３によって読み出された地図データを入力する。
【００２４】
更に、ＣＰＵ１０６は、車両位置データに基づいて車両位置画像データを生成するとともに、誘導経路データに基づいて誘導経路を表す誘導経路画像データを生成し、これら車両位置画像データ及び誘導経路画像データと、入力した地図データに含まれる地図画像データとに基づいて画像合成処理を行い、地図画像に車両位置画像と誘導経路画像とが重ねられた画像データを生成して、ディスプレイユニット１０８内のディスプレイ１０９へ出力する。ディスプレイ１０９は、入力した画像データ基づく画像表示を行う。これにより、ディスプレイ１０９には、地図画像に車両位置画像と誘導経路画像とが重ねられた画像が表示され、車両の走行に応じて地図画像がスクロール表示される。このため、利用者は目的地までの誘導経路を把握することができる。
【００２５】
また、ＣＰＵ１０６は、ＤＶＤメカユニット１０２の温度が上昇した場合に、当該ＤＶＤメカユニット１０２内の光ピックアップ１０３を保護すべく、ＤＶＤメカユニット１０２に対する電源を遮断する。以下、電源遮断処理の詳細を、フローチャートを参照しつつ説明する。
【００２６】
図３及び図４は、電源遮断処理の詳細を示すフローチャートである。温度検出サーミスタ１１４は、随時、ＤＶＤメカユニット１０２の温度を検出し、その検出温度のデータをＣＰＵ１０６へ出力する。ＣＰＵ１０６は、この検出温度データに基づいて、ＤＶＤメカユニット１０２の温度が予め定められている光ピックアップ１０３の動作保証温度（例えば８０〜８５℃）以上であるか否かを判定する（Ｓ１０１）。
【００２７】
ＤＶＤメカユニット１０２の温度が光ピックアップ１０３の動作保証温度以上である場合、ＣＰＵ１０６は、経路案内中であるか否かを判定する（Ｓ１０２）。経路案内中である場合、ＣＰＵ１０６は、フラッシュメモリ１１２に記憶された誘導経路データを読み出す。更に、ＣＰＵ１０６は、この誘導経路データと、ＧＰＳ装置１０４から送られてくる車両位置データとに基づいて、車両位置から目的地までの誘導経路に対応する所定の領域（第１の地図データ読み出し領域）を特定する。この第１の地図データ読み出し領域は、車両がある程度、誘導経路を外れて走行した場合においても領域内に含まれるような大きさを有しており、経度・緯度によって特定される。
【００２８】
更に、ＣＰＵ１０６は、ＤＶＤ２００に記録されている地図データのうち、第１の地図データ読み出し領域に対応する地図データを読み出すように、ＤＶＤメカユニット１０２及び光ピックアップ１０３を制御し、その制御に応じて光ピックアップ１０３によって読み出された地図データを入力し、フラッシュメモリ１１２に記憶する（Ｓ１０３）。
【００２９】
第１の地図データ読み出し領域に対応する地図データが読み出され、フラッシュメモリ１１２に記憶された後、ＣＰＵ１０６は、ＤＶＤメカユニット１０２に対して電源供給を行っているＤＶＤメカユニット電源装置１１６に対して、電源断を指示する。ＤＶＤメカユニット電源装置１１６は、この指示に応じて、ＤＶＤメカユニット１０２への電源を遮断する。これにより、ＤＶＤメカユニット１０２及びその内部の光ピックアップ１０３の動作が停止し、光ピックアップ１０３が保護される（Ｓ１０４）。
【００３０】
その後、ＣＰＵ１０６は、車両位置データに基づいて車両位置画像データを生成し、誘導経路データに基づいて誘導経路画像データを生成するとともに、Ｓ１０３においてフラッシュメモリ１１２に記憶された地図データのうち、車両位置周辺に対応する地図データに含まれる地図画像データを読み出す。そして、ＣＰＵ１０６は、これら車両位置画像データ、誘導経路画像データ及び地図画像データに基づいて画像合成処理を行い、地図画像に車両位置画像と誘導経路画像とが重ねられた画像データを生成する。ディスプレイ１０９は、この画像データ基づく画像表示を行う。これにより、地図画像に車両位置画像と誘導経路画像が重ねられた画像が表示され、車両の走行に応じて地図画像がスクロール表示されて、経路案内が続行される（Ｓ１０５）。
【００３１】
一方、Ｓ１０２において経路案内中でないと判定した場合、図４の処理に移行し、ＣＰＵ１０６は、ＧＰＳ装置１０４から送られてくる車両位置データに基づいて、車両位置から１００ｋｍ以内の領域（第２の地図データ読み出し領域）を特定する。この第２の地図データ読み出し領域は、経度・緯度によって特定される。
【００３２】
更に、ＣＰＵ１０６は、ＤＶＤ２００に記録されている地図データのうち、第２の地図データ読み出し領域に対応する地図データを読み出すように、ＤＶＤメカユニット１０２及び光ピックアップ１０３を制御し、その制御に応じて光ピックアップ１０３によって読み出された地図データを入力し、フラッシュメモリ１１２に記憶する（Ｓ１０６）。
【００３３】
第２の地図データ読み出し領域に対応する地図データが読み出され、フラッシュメモリ１１２に記憶された後、ＣＰＵ１０６は、ＤＶＤメカユニット１０２に対して電源供給を行っているＤＶＤメカユニット電源装置１１６に対して、電源断を指示する。ＤＶＤメカユニット電源装置１１６は、この指示に応じて、ＤＶＤメカユニット１０２への電源を遮断する。これにより、Ｓ１０４と同様、ＤＶＤメカユニット１０２及びその内部の光ピックアップ１０３の動作が停止し、光ピックアップ１０３が保護される（Ｓ１０７）。
【００３４】
その後、ＣＰＵ１０６は、車両位置データに基づいて車両位置画像データを生成するとともに、Ｓ１０６においてフラッシュメモリ１１２に記憶された地図データのうち、車両位置周辺に対応する地図データに含まれる地図画像データを読み出す。そして、ＣＰＵ１０６は、車両位置画像データと地図画像データとに基づいて画像合成処理を行い、地図画像に車両位置画像が重ねられた画像データを生成する。ディスプレイ１０９は、この画像データ基づく画像表示を行う。これにより、地図画像に車両位置画像が重ねられた画像が表示され、車両の走行に応じて地図画像がスクロール表示される（Ｓ１０８）。
【００３５】
次に、ＣＰＵ１０６は、利用者によって経路探索が指示されたか否かを判定する（Ｓ１０９）。経路探索が指示されていない場合には、一連の動作が終了する。一方、利用者がキー入力装置１１０を操作して目的地の設定を行うと、ＣＰＵ１０６は、その目的地設定に応じた操作信号に基づいて目的地の位置（経度・緯度）を認識する。更に、ＣＰＵ１０６は、ＧＰＳ装置１０４からの車両位置データと、目的地の位置とに基づいて、Ｓ１０６においてフラッシュメモリ１１２に記憶された地図データのうち、車両位置と目的地とを含む所定範囲内の領域に対応する地図データを読み出す。
【００３６】
そして、ＣＰＵ１０６は、読み出した地図データに含まれる道路データを用いて、種々のコスト計算を行って車両位置から目的地までの最適な誘導経路を演算し、誘導経路データをフラッシュメモリ１１２に記憶する（Ｓ１１０）。
【００３７】
このように、ナビゲーション装置１００は、ＤＶＤメカユニット１０２の温度が上昇した場合に、経路案内中であれば、車両位置から目的地までの誘導経路の周辺の所定の領域に対応する地図データをＤＶＤ２００から読み出してフラッシュメモリ１１２に記憶し、経路案内中でなければ、車両位置から１００ｋｍ以内の領域に対応する地図データをＤＶＤ２００から読み出してフラッシュメモリ１１２に記憶し、その後にＤＶＤメカユニット１０２の電源を遮断して光ピックアップ１０３を保護する。
【００３８】
従って、ナビゲーション装置１００は、ＤＶＤメカユニット１０２の電源が遮断された後においても、電源断の前にＤＶＤ２００から読み出されてフラッシュメモリ１１２に記憶された地図データを用いて地図画像の表示や経路案内、経路探索を行うことが可能となり、電源断によりナビゲーションの処理に支障をきたすことが抑制される。
【００３９】
なお、上述した実施形態では、ＤＶＤ２００が用いられる場合について説明したが、他のディスクが用いられる場合においても、同様に本発明を適用することができる。また、上述した実施形態では、ナビゲーション装置１００について説明したが、ＤＶＤプレイヤやＣＤプレイヤ等の他のディスクデータ処理装置においても、同様に本発明を適用することができる。
【産業上の利用可能性】
【００４０】
以上、説明したように、本発明に係るディスクデータ処理装置は、ディスクに記録されたデータを使用する処理に支障をきたすことが抑制されるという効果を奏し、ディスクデータ処理装置として有用である。
【図面の簡単な説明】
【００４１】
【図１】ナビゲーション装置の構成を示す図である。
【図２】地図データの一例を示す図である。
【図３】ナビゲーション装置の動作を示す第１のフローチャートである。
【図４】ナビゲーション装置の動作を示す第２のフローチャートである。
【符号の説明】
【００４２】
１００  ナビゲーション装置
１０２  ＤＶＤメカユニット
１０３  光ピックアップ
１０４  ＧＰＳ装置
１０６  ＣＰＵ
１０８  ディスプレイユニット
１０９  ディスプレイ
１１０  キー入力装置
１１２  フラッシュメモリ
１１４  温度検出サーミスタ
１１６  ＤＶＤメカユニット電源装置
２００  ＤＶＤ
【図１】
2006252611.tif 000003
【図２】
2006252611.tif 000004
【図３】
2006252611.tif 000005
【図４】
2006252611.tif 000006